(57)【要約】【目的】  一つの容器で複数の異なる飲料物を飲むことができる飲料物収納容器を提供する。【構成】  飲料物収納容器１０は、円柱を縦割りした形状を呈し、上下面の開口部が封止部材１１により封止された複数の分割容器１２と、各分割容器１２の一側面の封止部材１１にそれぞれ取り付けられた蓋部材１４と、各分割容器１２を組み合わせ、全体として円柱形状とした状態でそれらの周囲を包装し、一体化する包装材（熱収縮チューブ１７）とを備える。【選択図】        図１
2005145463.tif 000002
【特許請求の範囲】
【請求項１】
円柱を縦割りした形状を呈し、上下面の開口部が封止部材により封止された複数の分割容器と、
各分割容器の一側面の前記封止部材にそれぞれ取り付けられた蓋部材と、
前記各分割容器を組み合わせ、全体として円柱形状とした状態でそれらの周囲を包装し、一体化する包装材とを備えたことを特徴とする飲料物収納容器。
【請求項２】
前記分割容器はアルミニウム若しくはスチール製容器であり、前記蓋部材はプルトップであることを特徴とする請求項１の飲料物収納容器。
【請求項３】
先細り容器を縦割りした形状を呈し、先端に開口部を有する複数の分割容器と、
各分割容器を組み合わせ、全体として先細り容器形状とした状態でそれらの周囲を包装し、一体化する包装材と、
一体化された状態で各分割容器の開口部を択一的に開閉可能に閉塞する蓋部材とを備えたことを特徴とする飲料物収納容器。
【請求項４】
前記蓋部材は、
一体化された状態の各分割容器の先端部に構成される連続したネジ溝に着脱可能に螺合する外蓋と、
該外蓋と前記分割容器間に位置し、一体化された状態の各分割容器の先端に回動可能に係合すると共に、前記分割容器の開口部を開放可能な寸法の注ぎ口を備えた内蓋とから成ることを特徴とする請求項３の飲料物収納容器。
【請求項５】
前記注ぎ口は、前記分割容器の開口部より小さいことを特徴とする請求項３又は請求項４の飲料物収納容器。
【請求項６】
前記分割容器はＰＥＴ樹脂若しくはアルミニウム或いはガラス製であることを特徴とする請求項３、請求項４又は請求項５の飲料物収納容器。
【発明の詳細な説明】
【技術分野】
【０００１】
本発明は、ジュースやコーヒーなどの飲料物を収納する飲料物収納容器に関し、特に複数種類の飲料物を独立して収納可能な飲料物収納容器に関するものである。
【背景技術】
【０００２】
近年自動販売機の普及に伴い、ジュースやコーヒーなどの飲料物が収納された縦長円筒形のアルミニウム若しくはスチール製の飲料物収納容器、或いは、ＰＥＴ樹脂若しくはアルミニウム或いはガラス製にて構成されたボトルタイプの飲料物収納容器が年々増加してきており、年間の需要量は膨大な数に達してきている。これらの飲料物収納容器内に収納された飲料物は一種類だけであった。
【０００３】
一つの飲料物収納容器内に収納された一種類の飲料物を飲んだ後、特に、甘さや粘りなどがある飲料物を飲んだ後は、どうしても口の中に甘さや粘りなどが残ってしまう。このため口の中に甘さや粘りなどが残らないサッパリした飲料物を購入して飲んでいた。
【０００４】
しかし、これでは２種類の飲料物を飲むために飲料物収納容器を２つ購入しなければならなかった。そこで、従来では縦長円筒形のアルミニウム若しくはスチール製の一つの飲料物収納容器内にオレンジジュース、或いは、トマトジュースなどの異なる２種類の飲料物をビニール袋に詰め別々に飲めるようにしているものがあった。この場合、２つのビニール袋にそれぞれ異なる飲料物を収納し、各ビニール袋にそれぞれ吸口管を一体に接続して飲料物収納容器から引き出す。そして、飲むとき飲料物収納容器内の飲料物が解るように引き出した吸口管で飲むことができる飲料物の表示が行われている。これにより、一つの飲料物収納容器内に収納した複数の飲料物の内の何れか一方の飲料物を選択して飲めるようになっていた（特許文献１参照）。
【０００５】
また、ボトルタイプの飲料物収納容器も、一つの飲料物収納容器に１種類の飲料物しか収納されていなかった。このボトルタイプの飲料物収納容器をアウトドアやレジャー、ドライブ等で使う際、屋外で使用するクーラーボック、或いは、独身者の使用率が高い小さな冷蔵庫などに複数のペットボトルを無理矢理収納していた。これを解決するため、分割容器を用意し、この分割容器に突起状のストッパーやネジ、フック、凹凸部などを設けて容易に連結や取り外しが行えるような飲料物収納容器もある。これによって、一つの飲料物収納容器の大きさで複数の飲料物を飲めると共に、クーラーボックスや冷蔵庫への収納時の省スペースを実現させていた。（特許文献２参照）。
【０００６】
【特許文献１】特開昭５０−１５７５６３号公報
【特許文献２】特開平１１−３０１６７４号公報
【発明の開示】
【発明が解決しようとする課題】
【０００７】
しかしながら、前者の飲料物収納容器は、各ビニール袋にそれぞれ一体に接続し引き出した吸口管から異なる飲料物を飲むことはできるが、異なる飲料物が収納された２つのビニール袋を縦長円筒形のアルミニウム若しくはスチール製の一つの飲料物収納容器内に収納していた。このため、アルミニウム若しくはスチール製の一つの飲料物収納容器と飲料物が収納された２つのビニール袋を用意しなければならず、飲料物のコストアップの一因となっていた。
【０００８】
また、後者の飲料物収納容器は、一つの飲料物収納容器内に異なる２種類の飲料物を収納するため、分割容器に突起状のストッパーやネジ、フック、凹凸部などを設けて各飲料物収納容器の連結や取り外しが行えるようにしていたが、分割容器の開口にはそれぞれ別々に蓋が設けられていた。このため、飲料物収納容器に蓋を２つ用意しなければならず、やはり飲料物のコストアップの一因となっていた。
【課題を解決するための手段】
【０００９】
即ち、本発明の飲料物収納容器は、円柱を縦割りした形状を呈し、上下面の開口部が封止部材により封止された複数の分割容器と、各分割容器の一側面の封止部材にそれぞれ取り付けられた蓋部材と、各分割容器を組み合わせ、全体として円柱形状とした状態でそれらの周囲を包装し、一体化する包装材とを備えたことを特徴とする。
【００１０】
また、請求項２の発明の飲料物収納容器は、上記において、分割容器はアルミニウム若しくはスチール製容器であり、蓋部材はプルトップであることを特徴とする。
【００１１】
また、請求項３の発明の飲料物収納容器は、先細り容器を縦割りした形状を呈し、先端に開口部を有する複数の分割容器と、各分割容器を組み合わせ、全体として先細り容器形状とした状態でそれらの周囲を包装し、一体化する包装材と、一体化された状態で各分割容器の開口部を択一的に開閉可能に閉塞する蓋部材とを備えたことを特徴とする。
【００１２】
また、請求項４の発明の飲料物収納容器は、請求項３において、蓋部材は、一体化された状態の各分割容器の先端部に構成される連続したネジ溝に着脱可能に螺合する外蓋と、この外蓋と分割容器間に位置し、一体化された状態の各分割容器の先端に回動可能に係合すると共に、分割容器の開口部を開放可能な寸法の注ぎ口を備えた内蓋とから成ることを特徴とする。
【００１３】
更に、請求項５の発明の飲料物収納容器は、請求項３又は請求項４において、注ぎ口は、分割容器の開口部より小さいことを特徴とする。
【００１４】
更にまた、請求項６の発明の飲料物収納容器は、請求項３、請求項４又は請求項５において、分割容器はＰＥＴ樹脂若しくはアルミニウム或いはガラス製であることを特徴とする。
【発明の効果】
【００１５】
以上詳述した如く本発明によれば、飲料物収納容器は、円柱を縦割りした形状を呈し、上下面の開口部が封止部材により封止された複数の分割容器と、各分割容器の一側面の封止部材にそれぞれ取り付けられた蓋部材と、各分割容器を組み合わせ、全体として円柱形状とした状態でそれらの周囲を包装し、一体化する包装材とを備えたので、例えば、従来のように２つのビニール袋を用意しなくても複数の分割容器を一体化することが可能となる。これにより、極めて容易に飲料物収納容器を製造することができ、飲料物収納容器のコストを大幅に低減させることができる。従って、一つの飲料物収納容器に複数の飲料物を収納し別々に飲むことができるので、飲料物収納容器の利便性を大幅に向上させることができるようになるものである。
【００１６】
特に、複数の分割容器を一体化して飲料物収納容器を作っているので各分割容器内にそれぞれ味或いは風味の異なる種類の飲料物を収納することが可能となる。これにより、一つの分割容器内に口の中に甘さや粘りなどが残る飲料物、他の分割容器内に甘さや粘りなどが残らないサッパリした飲料物を収納しておけば、口の中に甘さや粘りなどが残る飲料物を飲んだ後にサッパリした飲料物を飲むことができるので、好適な後味とすることができる。従って、飲料物収納容器の利便性を更に向上させることができるようになるものである。
【００１７】
また、各分割容器内に異なる飲料物を収納しているので、一つの飲料物収納容器で二度美味しい飲料物を飲むことができる。従って、極めて飲料物収納容器の利便性を向上することができるようになるものである。
【００１８】
また、請求項２の発明によれば、上記において、分割容器はアルミニウム若しくはスチール製容器であり、蓋部材はプルトップであるので、例えば分割容器の大量生産を安定して行うことができる。これにより、誰でも簡単に飲料物収納容器を扱うことができ、手が傷ついて怪我をしてしまうなどの危険性もなく安全な飲料物収納容器を提供することができるようになるものである。
【００１９】
また、請求項３の発明によれば、先細り容器を縦割りした形状を呈し、先端に開口部を有する複数の分割容器と、各分割容器を組み合わせ、全体として先細り容器形状とした状態でそれらの周囲を包装し、一体化する包装材と、一体化された状態で各分割容器の開口部を択一的に開閉可能に閉塞する蓋部材とを備えたので、例えば、請求項４の如く蓋部材は、一体化された状態の各分割容器の先端部に構成される連続したネジ溝に着脱可能に螺合する外蓋と、この外蓋と分割容器間に位置し、一体化された状態の各分割容器の先端に回動可能に係合すると共に、分割容器の開口部を開放可能な寸法の注ぎ口を備えた内蓋ととを設ければ、外蓋を外して内蓋を回動させるだけで何れかの分割容器の開口部が注ぎ口に連通するのでどちらか一方の分割容器内に収納した飲料物を飲むことができる。従って、一つの飲料物収納容器で複数の飲料物の味を楽しむことができ、極めて、飲料物収納容器の利便性を向上させることができるようになる。また、内蓋の外側に外蓋を設けているので、内蓋が汚れるようなことがない。これにより、飲料物の飲みかけ状態でも開口部に外蓋を閉じておけば注ぎ口が汚れて不衛生になってしまうのを防止することができる。従って、注ぎ口を極めて衛生的に維持することができる飲料物収納容器を提供することができるようになるものである。
【００２０】
特に、飲料物収納容器は各分割容器を組み合わせ、全体として先細り容器形状とした状態でそれらの周囲を包装する包装材で一体化しているので、従来のように分割容器に突起状のストッパーやネジ、フック、凹凸部などを設けなくても複数の分割容器を一体化することが可能となる。これにより、極めて容易に飲料物収納容器を製造することができ、飲料物収納容器のコストを大幅に低減させることができる。従って、一つの飲料物収納容器に複数の飲料物を収納し別々に飲むことができるので、飲料物収納容器の利便性を大幅に向上させることができるようになるものである。
【００２１】
更に、請求項５の発明によれば、請求項３又は請求項４において、注ぎ口は、分割容器の開口部より小さいので、例えば内蓋が少し回動してしまった場合でも、注ぎ口が複数の分割容器の開口部に渡って連通してしまうのを防止することができる。これにより、注ぎ口を各分割容器の開口部中央への位置合わせが容易に行える。従って、注ぎ口から複数の分割容器内から異なる飲料物が出てしまうなどの不都合を未然に防止することができ、飲みたい飲料物だけを注ぎ口から出すことができるようになるものである。
【００２２】
更にまた、請求項６の発明によれば、請求項３、請求項４又は請求項５において、分割容器はＰＥＴ樹脂若しくはアルミニウム或いはガラス製であるので、例えば分割容器の大量生産を安定して行うことができる。これにより、誰でも簡単に扱うことができ、手が傷ついて怪我をしてしまうなどの危険性もなく安全な飲料物収納容器を提供することができるようになるものである。
【発明を実施するための最良の形態】
【００２３】
本発明は、一つの容器で複数の異なる飲料物を飲むことができる飲料物収納容器を提供する。一つの容器で複数の異なる飲料物を飲むという目的を、複数の分割容器周囲を包装材で覆って一体化することにより実現した。
【実施例１】
【００２４】
次に、図面に基づき本発明の実施形態を詳述する。図１は本発明の飲料物収納容器１０の斜視図、図２は同図１の飲料物収納容器１０の縦断側面図、図３は複数の分割容器１２を一体化した飲料物収納容器１０の斜視図、図４は複数の分割容器１２を包装紙（熱収縮チューブ１７）にて一体化する状態を示す図をそれぞれ示している。
【００２５】
図１に示すように、飲料物収納容器１０は半円筒形に形成され上下面に設けられた開口が封止部材１１によって封止された縦長の複数の分割容器１２から構成されると共に、各分割容器１２はアルミニウム若しくはスチール製にて構成されている。一方（図中上側）の封止部材１１には分割容器１２内に収納したジュースやお茶或いはコーヒーなどの飲料物（図示せず）を飲むためのプルトップ式の蓋部材１４が設けられている。蓋部材１４は環状に形成された作用片１４Ｂと、この作用片１４Ｂにカシメピン１４Ｃに固定された所定の大きさの封止蓋１４Ａにて構成されている。封止蓋１４Ａは蓋部材１４に一体に形成され、封止蓋１４Ａ周囲には応力作用により蓋部材１４より封止蓋１４Ａを切り離すための破断部１５が設けられている。
【００２６】
この飲料物収納容器１０は図２に示すように断面半円形の分割容器１２（この場合、分割容器１２内には所定の飲料物が既に収納されているものとする）を２つ組み合わせて一体化している。即ち、分割容器１２は円柱を略中央から縦割りに２分割した形状を呈している。そして、図３に示す如き分割容器１２を円筒形状に組み合わせる（図中矢印）。この場合、複数の分割容器１２（この場合分割容器１２は二個）に設けた蓋部材１４を同一方向に位置させた状態で円筒形状に組み合わせる。尚、分割容器１２内に飲料物を収納する技術については、従来より周知の技術であるため詳細な説明を省略する。また、図２では蓋部材１４を図示していない。
【００２７】
次ぎに図４に示すように組み合わせた円筒形状の分割容器１２より直径が少し大きめの筒形の熱収縮チューブ１７（本発明の包装材に相当）内に挿入する。そして、温風を当てる、或いは、熱湯内に入れて熱収縮チューブ１７を収縮させることにより組み合わせた複数の分割容器１２を一体化する。この場合、熱収縮チューブ１７の熱収縮により、飲料物収納容器１０は２つの分割容器１２を一体化することができるので、組み合わせて円筒形状になる３個或いは４個など複数の分割容器１２であれば一つの飲料物収納容器１０に一体化することができる。
【００２８】
そして、飲料物収納容器１０に収納した飲料物は、環状に形成された作用片１４Ｂに指或いは棒などを挿入して引き上げることにより破断部１５が破断されて、蓋部材１４より封止蓋１４Ａが切り離される。これによって、蓋部材１４には封止蓋１４Ａを切り離した破断部１５内側に開口（図示せず）が形成されるので、分割容器１２内に収納した飲料物を開口から飲むことができる。尚、作用片１４Ｂを引き上げることにより破断部１５が破断され封止蓋１４Ａが切り離される技術については、従来より周知の技術であるため詳細な説明を省略する。
【００２９】
このように、飲料物収納容器１０は、円柱を縦割りした形状を呈し、上下面の開口部（図示せず）が封止部材１１により封止された複数の分割容器１２と、各分割容器１２の一側面の封止部材１１にそれぞれ取り付けられた蓋部材１４と、各分割容器１２を組み合わせ、全体として円柱形状とした状態でそれらの周囲を包装して一体化する熱収縮チューブ１７とを備えているので、従来のように２つのビニール袋を用意しなくても複数の分割容器１２を一体化することが可能となる。これにより、極めて容易に飲料物収納容器１０を製造することができ、飲料物収納容器１０のコストを大幅に低減させることができるようになると共に、一つの飲料物収納容器１０に複数の飲料物を収納し別々に飲むことが可能となる。
【００３０】
また、複数の分割容器１２を一体化して飲料物収納容器１０を作っているので各分割容器１２内にそれぞれ味或いは風味の異なる種類の飲料物を収納することが可能となる。これにより、一つの分割容器１２内に口の中に甘さや粘りなどが残る飲料物、他の分割容器１２内に甘さや粘りなどが残らないサッパリした飲料物を収納しておけば口の中に残る飲料物を飲んだ後にサッパリした飲料物を飲むことができるので、好適な後味とすることができる。
【００３１】
また、各分割容器１２内に異なる飲料物を収納できるので、一つの飲料物収納容器１０で二度美味しい飲料物を飲むこともできる。
【００３２】
また、分割容器１２はアルミニウム容器若しくはスチール製容器にて構成すると共に、蓋部材１４をプルトップに構成しているので、分割容器１２の大量生産を安定して行うことができる。これにより、誰でも簡単に扱うことができ、手が傷ついて怪我をしてしまうなどの危険性もなく安全な飲料物収納容器１０を提供することができるようになる。
【００３３】
尚、実施例では、分割容器１２を２つ組み合わせて一つの飲料物収納容器１０を作ったが、飲料物収納容器１０は分割容器１２の２つの組み合わせに限らず、図５に示すように飲料物収納容器１０は分割容器１２を３個組み合わせても差し支えない。また、飲料物収納容器１０は分割容器１２を３個以上組み合わせても差し支えない。この場合も、複数個組み合わせた分割容器１２は一体化した状態で円筒形にすることが望ましい。これにより、一つの飲料物収納容器１０で更に異なる飲料物を収納することができ、飲料物収納容器１０一つでバライティに富んだ飲料物を飲むことができるようになる。
【００３４】
また、飲料物収納容器１０は分割容器１２を二個組み合わせて覆った熱収縮チューブ１７を熱収縮させて一体化したが、二個の分割容器１２を接着剤や融着などにより固着或いは半田付などにより固着し一体化しても差し支えない。
【００３５】
また、飲料物収納容器１０を円筒形で説明したが、飲料物収納容器１０は円筒形に限らず、方形或いは５角形、６角形などの多角形に構成しても本発明は有効である。
【実施例２】
【００３６】
次に、図６には本発明の他の実施例の飲料物収納容器５０を示している。この飲料物収納容器５０は、ＰＥＴ樹脂若しくはアルミニウム或いはガラス製などからなり先細りの容器を縦割りした形状（この場合ボトルを縦割りした形状）で、先端に開口部６０を有する複数の分割容器５２、５２にて構成されている。
【００３７】
また、飲料物収納容器５０は、各分割容器５２を組み合わせ全体として先細り容器形状（この場合ボトル形状）とした状態で、それらを組み合わせた各分割容器５２の周囲を熱収縮チューブ７４（本発明の包装材に相当）にて包装し一体化されると共に、一体化された状態で各分割容器５２の開口部６０を択一的に開閉可能な後述する蓋部材６２にて閉塞している。
【００３８】
即ち、複数の分割容器５２（この場合分割容器５２は二個）を組み合わせた先細り円筒形状の分割容器５２より直径が少し大きめの筒形の熱収縮チューブ７４（本発明の包装材に相当）内に挿入する。そして、温風を当てる、或いは、熱湯内に入れて熱収縮チューブ７４を収縮させることにより組み合わせた複数の分割容器５２を一体化する。この場合も、熱収縮チューブ７４の熱収縮により、飲料物収納容器５０は２つの分割容器５２を一体化することができるので、組み合わせて円筒形状になる３個或いは４個など複数の分割容器５２であれば一つの飲料物収納容器５０に一体化することができる。
【００３９】
図７の５３は筒部５４の外面に雄ネジ部５５（本発明のネジ溝に相当）を備えた略円筒形の補助具で、この補助具５３は分割容器５２の上端に設けられている。該補助具５３は一側（先端）に開口部６０を備えると共に、他側には各分割容器５２、５２が一体化された状態で融着可能な嵌合部５６が設けられている。この嵌合部５６に各分割容器５２、５２の上端が嵌合され融着される。
【００４０】
筒部５４の開口部６０側外面には環状に突出する内蓋フランジ部５７が設けられており、分割容器５２側には環状に突出する外蓋フランジ部５９が設けられている。内蓋フランジ部５７と外蓋フランジ部５９との間に前記雄ネジ部５５は設けられており、この雄ネジ部５５に後述する蓋部材６２が螺合され締め付けられる。
【００４１】
外蓋フランジ部５９は、雄ネジ部５５のネジ山頂点の外径と略同等若しくは若干大径の外径にて形成されている。また、内蓋フランジ部５７は、雄ネジ部５５のネジ山底の径と略同等若しくは若干小径の外径に形成されている。また、内蓋７０の外径は後述する外蓋６４に設けられた雌ネジ部６７より小径に形成されている。これによって、開口部６０を閉塞して補助具５３の雄ネジ部５５に螺合された外蓋６４を外す際、外蓋６４の雌ネジ部６７が内蓋フランジ部５７に係合された内蓋７０に引っかからないようにしている。
【００４２】
また、補助具５３には筒部５４内を二等分する仕切壁５４Ａが設けられており、この仕切壁５４Ａの下端は一体化した各分割容器５２、５２の両接触部に融着されている。即ち、一方の分割容器５２は仕切壁５４Ａの一面側を介して開口部６０に、他方の分割容器５２は仕切壁５４Ａの他面側を介して開口部６０に連通している。尚、仕切壁５４Ａの上端は内蓋７０に当接する。
【００４３】
前記蓋部材６２は、前記各開口部６０を択一的に閉塞すると共に後述する注ぎ口７２が設けられた内蓋７０と、この内蓋７０の外側に設けられた外蓋６４とから構成されている。内蓋７０には内側に突出すると共に筒部５４の開口部６０側外面に環状に設けられた内蓋フランジ部５７に係合する係合部７１が設けられている。該係合部７１は弾性を有し分割容器５２側に行くに従って拡径すると共に、分割容器５２の離間側を縮径して内蓋フランジ部５７より小径に形成している。この係合部７１は、内蓋フランジ部５７を乗り越えるときに拡径し、乗り越えてから縮径するように構成されている。
【００４４】
そして、飲料物収納容器５０の各開口部６０に係合部７１側から内蓋７０を強制的に押し付けると、係合部７１は拡径して内蓋フランジ部５７を乗り越え、縮径して内蓋フランジ部５７に係合する（図７実線矢印）。これによって、係合部７１は内蓋フランジ部５７に係合し分割容器５２から内蓋７０が容易に外れてしまうのが阻止されると共に、内蓋７０は係合部７１が内蓋フランジ部５７に係合した状態で回動自在に構成している。
【００４５】
また、外蓋６４には外蓋６４を回動することにより容易に切断可能な切断部６８を介して弾性を有する係止部６６Ａを備えた環状係止体６６が設けられている。係止部６６Ａは係合部７１同様内側に突出して外蓋フランジ部５９に係合可能に構成されている。該係止部６６Ａは分割容器５２側に行くに従って拡径し、分割容器５２の離間側は縮径して外蓋フランジ部５９より小径に形成している。この係止部６６Ａも外蓋フランジ部５９を乗り越えるときに拡径し、乗り越えてから縮径するように構成されている。
【００４６】
そして、飲料物収納容器５０の開口部６０に内蓋７０が係合された状態で、内蓋７０を覆う形で環状係止体６６側から外蓋６４が挿着される。この場合、補助具５３に設けた雄ネジ部５５に外蓋６４に設けた雌ネジ部６７が螺合され締め付けられていくと、環状係止体６６は分割容器５２側に強制的に押し付けられる。そして、更に外蓋６４を螺合し締め付けると係止部６６Ａは拡開して外蓋フランジ部５９を乗り越え、縮径して外蓋フランジ部５９に係止され、外蓋６４によって内蓋７０は仕切壁５４Ａに圧着される（図８）。これによって、係止部６６Ａは外蓋フランジ部５９に係合され分割容器５２から外蓋６４が容易に外れてしまうのが阻止される。
【００４７】
前記内蓋７０に設けられた注ぎ口７２は、図９に示すように分割容器５２の開口部６０より小さく形成している。この場合、内蓋７０の中心を通る直線（一点鎖線）の左右に各分割容器５２の開口部６０、６０が円形に形成（図中半円形の点線の開口部６０と半円形の点線の開口部６０とで両開口部６０、６０は円形になっている）されている。
【００４８】
注ぎ口７２は内蓋７０の中心を通る直線より例えば右側に所定寸法離間（図中矢印範囲）させると共に、内蓋７０中心より約１４５度拡開し周囲を開口部６０と略同等の円形に形成し、注ぎ口７２を分割容器５２の開口部６０より小さく形成している。この場合、内蓋７０の係合部７１が内蓋フランジ部５７に係合された状態で内蓋７０を回動させて、注ぎ口７２を飲料物収納容器５０の一方の分割容器５２の開口部６０に合致させると、他方の分割容器５２の開口部６０が閉塞される。また、注ぎ口７２を他方の分割容器５２の開口部６０に合致させると一方の分割容器５２の開口部６０が閉塞される。
【００４９】
即ち、注ぎ口７２を分割容器５２の開口部６０より小さく形成することにより、一方の分割容器５２の開口部６０に合致させた注ぎ口７２を他方の分割容器５２の開口部６０に合致させるとき、注ぎ口７２の回動範囲がばらついても容易に開口部６０に合致させられるように構成している。これによって、注ぎ口７２と開口部６０との位置合わせ操作を極めて容易に行えるように構成している（図１０）。尚、内蓋７０を回動させた際、開口部６０の略中心に注ぎ口７２が停止するようなストッパーを補助具５３及び内蓋７０に設けて、開口部６０の中心に注ぎ口７２を停止させるようにしても良い。
【００５０】
そして、飲料物収納容器５０の開口部６０に内蓋７０を介して外蓋６４が螺合され締め付けられた状態で、内蓋７０は仕切壁５４Ａに圧着される。これによって、一体に設けられた各分割容器５２、５２の開口部６０は内蓋７０で閉塞され、両分割容器５２、５２内の連通が阻止されると共に、各分割容器５２、５２に異なる飲料物を収納した場合でも、輸送中や移動中、或いは、飲料物収納容器５０を横にしたり倒したりした場合でも分割容器５２、５２内の飲料物が混じることがない。これにより、各分割容器５２、５２に収納した飲料物の味や風味が変わらないのでそれらの飲料物を美味しく飲むことができる。
【００５１】
また、内部に飲料物が収納された飲料物収納容器５０の開口部６０に螺合され締め付けられた蓋部材６２を緩めると、蓋部材６２は分割容器５２から離間するが係止部６６Ａは外蓋フランジ部５９に係合され分割容器５２から離間しないので、外蓋６４は環状係止体６６から離間し切断部６８から切断される。即ち、外蓋フランジ部５９に環状係止体６６が残った状態で飲料物収納容器５０から外蓋６４だけが外れる（図１１）。このとき、内蓋７０は外蓋６４の雌ネジ部６７より小さくしているので、係合部７１が内蓋フランジ部５７に係合したまま、一方の開口部６０を閉塞し、他方の開口部６０に連通する。
【００５２】
このように、先細り容器を縦割りした形状を呈し、先端に開口部６０を有する複数の分割容器５２と、各分割容器５２を組み合わせ、全体として先細り容器形状とした状態でそれらの周囲を包装し、一体化する熱収縮チューブ７４と、一体化された状態で各分割容器５２の開口部６０を択一的に開閉可能に閉塞する蓋部材６２とを備えているので、複数の分割容器５２が一体化された状態で外蓋６４を外して内蓋７０を回動させるだけで何れかの分割容器５２の開口部６０を開口して分割容器５２内に収納した飲料物を飲むことができる。
【００５３】
これにより、一つの飲料物収納容器５０で複数の飲料物の味を楽しむことができる。また、内蓋７０の外側に外蓋６４を設け内蓋７０を覆っているので、内蓋７０が汚れるようなことがない。これにより、飲料物の飲みかけ状態でも開口部６０に外蓋６４を閉じておけば注ぎ口７２が汚れて不衛生になってしまうのを防止することができ、注ぎ口７２を極めて衛生的に維持することができる。
【００５４】
特に、各分割容器５２を組み合わせ、全体として先細り容器形状とした状態でそれらの周囲を包装する熱収縮チューブ７４で一体化しているので、従来のように分割容器５２に突起状のストッパーやネジ、フック、凹凸部などを設けなくても複数の分割容器５２を一体化することが可能となる。これにより、極めて容易に飲料物収納容器５０を製造することができ、飲料物収納容器５０のコストを大幅に低減させることができる。また、一つの飲料物収納容器５０に複数の飲料物を収納し別々に飲むことができるので、飲料物収納容器５０の利便性を大幅に向上させることができる。
【００５５】
また、注ぎ口７２は、分割容器５２の開口部６０より小さくしているので、内蓋７０を回動させて一方の分割容器５２の開口部６０から他方の分割容器５２の開口部６０に合致させる際、注ぎ口７２を容易に開口部６０に合致させることができる。また、内蓋７０が少し回動してしまった場合でも、注ぎ口７２が複数の分割容器５２の開口部６０に渡って連通してしまうのを防止することができる。これにより、注ぎ口７２を各分割容器５２の開口部６０中央に位置合わせし易くなる。従って、注ぎ口７２から複数の分割容器５２内から異なる飲料物が出てしまうなどの不都合を未然に防止することができ、飲みたい飲料物だけを注ぎ口７２から飲むことができる。
【００５６】
また、分割容器５２はＰＥＴ樹脂若しくはアルミニウム或いはガラス製としているので、分割容器５２の大量生産を安定して行うことができる。これにより、誰でも簡単に扱うことができ、手が傷ついて怪我をしてしまうなどの危険性もなく安全な飲料物収納容器５０を提供することができる。
【００５７】
また、飲料物収納容器５０は複数の分割容器５２を一体化しているので、コーヒーとジュース、炭酸入りの飲料と他の飲料というような様々な組み合わせができる。これにより、複数の飲料が飲みたい場合や食事の際にお茶とコーヒーが組み合わせられる等大幅に利便性を向上することができる。特に、小さな子供や年配など一度に従来使用していたジュースやコーヒーなどの飲料物が収納された縦長円筒形のアルミニウム若しくはスチール製の飲料物収納容器、或いは、ＰＥＴ樹脂若しくはアルミニウム或いはガラス製にて構成されたボトルタイプの飲料物収納容器内の飲料物が多すぎる場合など、必要に応じて各分割容器５２内に収納した飲料物を飲むことができ、極めて便利である。
【００５８】
尚、実施例では、分割容器５２を２つ組み合わせて一つの飲料物収納容器５０を作ったが、飲料物収納容器５０は分割容器５２の２つの組み合わせに限らず、分割容器５２を３個或いは４個組み合わせても差し支えない。この場合も、複数個組み合わせた分割容器５２は一体化した状態で円筒形或いは方形にすることが望ましい。これにより、一つの飲料物収納容器５０で更に異なる飲料物を収納することができ、飲料物収納容器５０一つでバライティに富んだ飲料物を飲むことができるようになる。また、各分割容器５２、５２に収納した飲料物を混合して飲みたい場合は仕切壁５４Ａを注ぎ口７２の中心に位置させれば、各分割容器５２、５２に収納した飲料物が注ぎ口７２から同時に出せるので２種類の飲料物を混合して飲むことができ、更に、バライティに富んだ飲料物を飲むことができる。
【００５９】
また、飲料物収納容器５０は分割容器５２を二個組み合わせて覆った熱収縮チューブ７４を熱収縮させて一体化したが、二個の分割容器５２を図示しないが接着剤、或いは、融着などにより固着して一体化しても差し支えない。
【００６０】
また、飲料物収納容器５０を円筒形で説明したが、飲料物収納容器５０は円筒形に限らず、方形或いは５角形、６角形などの多角形のものでも本発明は有効である。
【図面の簡単な説明】
【００６１】
【図１】本発明の飲料物収納容器の斜視図である。（実施例１）
【図２】同図１の飲料物収納容器の縦断側面図である。
【図３】複数の分割容器を一体化した飲料物収納容器の斜視図である。
【図４】複数の分割容器を包装紙（熱収縮チューブ）にて一体化する状態を示す図である。
【図５】分割容器の数を増やした（分割容器３個）飲料物収納容器の平面図である。
【図６】本発明のもう一つの実施の形態の本発明に係る飲料物収納容器の正面図である。
【図７】同図６の飲料物収納容器の開口部近傍の拡大縦断側面図である。
【図８】同図６の飲料物収納容器の開口部に蓋部材を螺合した状態の縦断側面図である。
【図９】同図６の蓋部材を構成する内蓋の平面図である。
【図１０】同図６の飲料物収納容器の開口部近傍（蓋部材を構成する外蓋を外した状態）の拡大縦断側面図である。
【図１１】同図６の蓋部材を構成する内蓋（注ぎ口と開口部の位置を示す）の平面図である。
【符号の説明】
【００６２】
１０  飲料物収納容器
１１  封止部材
１２  分割容器
１４  蓋部材
１４Ａ  封止蓋
１４Ｂ  作用片
１４Ｃ  カシメピン
１５  破断部
１７  熱収縮チューブ
【図１】
2005145463.tif 000003
【図２】
2005145463.tif 000004
【図３】
2005145463.tif 000005
【図４】
2005145463.tif 000006
【図５】
2005145463.tif 000007
【図６】
2005145463.tif 000008
【図７】
2005145463.tif 000009
【図８】
2005145463.tif 000010
【図９】
2005145463.tif 000011
【図１０】
2005145463.tif 000012
【図１１】
2005145463.tif 000013